(57)【要約】【課題】ギロチン式のカッタ装置の可動刃が戻らない状態で筐体を開けたとき、可動刃が露出しないようにする。【解決手段】筐体は、紙搬送路を挟んで上下に分割可能である。固定刃は、紙搬送路の上または下に固定的に設けられ、紙搬送路に向かう刃を有する。可動刃は、紙搬送路を介して固定刃に対向する刃を有し、固定刃との間に紙を挟んで切断する位置とポケットに収納される位置との間で移動可能に設けられている。カバーは、ポケットから出た可動刃の刃を覆う被覆位置と紙搬送路に干渉しない退避位置とに移動可能である。連動部は、筐体が分割状態にあるときにはカバーを被覆位置に位置させ、非分割状態にあるときにはカバーを退避位置に位置させる。【選択図】図１０
2014076515.tif 000002
【特許請求の範囲】
【請求項１】
帯状の紙を切断するカッタ装置であって、
上部ユニットと下部ユニットとに分割可能な筐体と、
前記上部ユニットと前記下部ユニットとの間に設けられた紙搬送路と、
前記上部ユニットまたは前記下部ユニットに固定的に設けられ、前記紙搬送路に向かう刃を有する固定刃と、
前記紙搬送路を介して前記固定刃に対向する刃を有し、前記固定刃との間に紙を挟んで切断する位置と前記下部ユニットまたは前記上部ユニットに設けられたポケットに収納される位置との間で移動可能に設けられた可動刃と、
前記ポケットから出た前記可動刃の前記刃を覆う被覆位置と前記紙搬送路に干渉しない退避位置とに移動可能なカバーと、
前記上部ユニットと前記下部ユニットとが分割状態にあるときには前記カバーを前記被覆位置に位置させ、前記上部ユニットと前記下部ユニットとが非分割状態にあるときには前記カバーを前記退避位置に位置させる連動部と、
を備えるカッタ装置。
【請求項２】
前記連動部は、前記上部ユニットおよび前記下部ユニットの両ユニットのうち前記ポケットが設けられたユニット内に引き込むことによって前記カバーを前記退避位置に位置させる
請求項１に記載のカッタ装置。
【請求項３】
前記カバーは、前記被覆位置での平面視が略矩形で紙搬送方向上流側の長辺部を紙幅方向に平行な軸回りに回動自在に設けられ、前記刃に覆い被さる方向に付勢されている
請求項１または２に記載のカッタ装置。
【請求項４】
前記連動部は、前記上部ユニットと前記下部ユニットとが非分割状態にあるときに前記上部ユニットおよび前記下部ユニットの両ユニットのうち前記固定刃が設けられたユニットに干渉する突部を有し、前記突部と前記ユニットとの干渉に連動して前記カバーを前記退避位置に位置させる
請求項１〜３のいずれか１つに記載のカッタ装置。
【請求項５】
前記突部は、紙の幅と略同じ間隔をあけて且つ前記紙搬送路を挟んで一対設けられている
請求項４に記載のカッタ装置。
【請求項６】
帯状の紙を繰り出し自在に収納する用紙収納部と、
前記用紙収納部から繰り出した紙に印刷する印刷部と、
前記印刷部で印刷された紙を切断する請求項１〜５のいずれか１つに記載のカッタ装置と、
を備えるプリンタ。
【発明の詳細な説明】
【技術分野】
【０００１】
本発明の実施形態は、カッタ装置およびプリンタに関する。
【背景技術】
【０００２】
従来、帯状の紙を巻いたロール紙に印刷するプリンタがあり、このようなプリンタの多くには、紙を切断するためのカッタ装置が付属している。カッタ装置には、上下から紙面を挟んで切断する所謂ギロチン式のものがある。
ギロチン式のカッタ装置は、紙搬送路を挟んで対向する固定刃と可動刃とを備え、固定刃に対して可動刃を接離方向に移動させて固定刃と可動刃との間に紙を挟んで切断する。可動刃は、カッタ装置に設けられた収納ポケットから出て紙を切断し、切断を終えると収納ポケットに戻る。
【発明の概要】
【発明が解決しようとする課題】
【０００３】
上述のようなカッタ装置を備えるプリンタは、ロール紙の補充などを行うために、筐体を開放できるようになっている。通常、可動刃は、紙の切断中以外は収納ポケット内にあり、筐体を開放したときに露出していることはない。しかし、紙詰まりなどの理由で可動刃が収納ポケットに戻らなかった場合には、筐体を開放したとき可動刃が露出してしまう。この場合には、ユーザに可動刃に触れることによる危険があり、また、可動刃が破損するおそれがある。
【課題を解決するための手段】
【０００４】
実施形態のカッタ装置は、帯状の紙を切断するものであって、筐体と、紙搬送路と、固定刃と、可動刃と、カバーと、連動部とを備える。筐体は、上部ユニットと下部ユニットとに分割可能である。紙搬送路は、上部ユニットと下部ユニットとの間に設けられている。固定刃は、上部ユニットまたは下部ユニットに固定的に設けられ、紙搬送路に向かう刃を有する。可動刃は、紙搬送路を介して固定刃に対向する刃を有し、固定刃との間に紙を挟んで切断する位置と下部ユニットまたは上部ユニットに設けられたポケットに収納される位置との間で移動可能に設けられている。カバーは、ポケットから出た可動刃の刃を覆う被覆位置と紙搬送路に干渉しない退避位置とに移動可能である。連動部は、上部ユニットと下部ユニットとが分割状態にあるときにはカバーを被覆位置に位置させ、上部ユニットと下部ユニットとが非分割状態にあるときにはカバーを退避位置に位置させる。
【図面の簡単な説明】
【０００５】
【図１】図１は、実施形態のプリンタの構造を概略的に示す縦断右側面図である。
【図２】図２は、実施形態の紙切断部の構造を示す縦断右側面図である。
【図３】図３は、実施形態の紙切断部の要部を拡大して示す縦断右側面図である。
【図４】図４は、実施形態の紙切断部の構造を示す斜視図である。
【図５】図５は、実施形態の紙切断部の構造を示す縦断右側面図である。
【図６】図６は、実施形態の紙切断部の要部を拡大して示す縦断右側面図である。
【図７】図７は、実施形態の紙切断部の構造を示す斜視図である。
【図８】図８は、実施形態の紙切断部の構造を示す縦断右側面図であって、可動刃が戻らなかった場合のものである。
【図９】図９は、実施形態の紙切断部の要部を拡大して示す縦断右側面図であって、可動刃が戻らなかった場合のものである。
【図１０】図１０は、実施形態の紙切断部の構造を示す斜視図であって、可動刃が戻らなかった場合のものである。
【発明を実施するための形態】
【０００６】
図１は、実施形態のプリンタ１の構造を概略的に示す縦断右側面図であって、本図に向かって左側がプリンタ１の正面側である。以降、図面を用いた説明での上下左右、手前、奥、正面等の表現は、プリンタ１の正面を基準に行う。
プリンタ１は、筐体２と、ロール紙保持部３と、印刷部４と、紙切断部５とを備えている。
【０００７】
筐体２は、上記各部（ロール紙保持部３、印刷部４、および紙切断部５）を収納するものであって、上面に開口を有する箱型の本体部２１と、本体部２１の開口を閉じる蓋部２２とを備えている。ここで、本体部２１は、下部ユニットの一実施形態であり、蓋部２２は、上部ユニットの一実施形態である。
蓋部２２は、縁の奥側を本体部２１の奥側に回動自在に取り付けられており、回動に伴って本体部２１の開口を開閉する。蓋部２２と本体部２１との間には、奥から手前に向かって紙搬送路が形成され、この紙搬送路に沿って奥から手前に、ロール紙保持部３、印刷部４、および紙切断部５が、順に配されている。
【０００８】
ロール紙保持部３は、半円筒状の窪み３１を有し、この窪み３１に載置されたロール紙Ｒを繰り出し自在に保持するものである。印刷部４は、サーマルヘッド４１とプラテン４２を備え、繰り出されたロール紙Ｒに印刷する。
【０００９】
図２、図５および図８は、実施形態の紙切断部５の構造を示す縦断右側面図である。図３、図６および図９は、実施形態の紙切断部５の要部を拡大して示す縦断右側面図である。図４、図７および図１０は、実施形態の紙切断部５の構造を示す斜視図である。
まず、図２、図３および図４は、筐体２が開かれた状態のもので、図５、図６および図７は、筐体２が閉じられた状態のものである。
【００１０】
紙切断部５は、カッタ装置の一実施形態であって、固定刃５１と、可動刃５２と、可動刃収納ポケット５３と、空間５４と、カバー５５と、連動部５６とを備えている。
固定刃５１は、蓋部２２に固定され、筐体２を閉じた状態で紙搬送路に向かう刃を下端に有している。可動刃収納ポケット５３は、本体部２１に形成されており、可動刃５２を上下方向にスライド自在に収納している。可動刃５２は、上端にＶ字型の刃を有し、この刃が紙搬送路の下から上へ移動することによって、固定刃５１との間にロール紙Ｒを挟んで切断する。空間５４は、固定刃５１の前方に取り置かれた空間であって、ロール紙Ｒの切断の際に可動刃５２の先端部が出入りするものである。
【００１１】
カバー５５は、筐体２が開かれた状態で紙搬送路上に位置して可動刃収納ポケット５３および可動刃収納ポケット５３に戻らなかったときの可動刃５２を覆うものであって、可動刃収納ポケット５３を覆う被覆位置での平面視が略矩形の部材である。カバー５５は、紙搬送方向上流側の長辺部に、紙幅方向に平行な軸５５ａを有しており、この軸５５ａは、連動部５６によって回動自在に支持されている。
【００１２】
連動部５６は、スライド部６１と、鉤部６２と、コイルばね６３と、一対の突部６４と、収納部６５と、トーションばね（不図示）とを備えている。
スライド部６１は、本体部２１内に上下方向にスライド自在に設けられている。鉤部６２は、軸５５ａを把持するものであって、スライド部６１の上端に設けられている。
コイルばね６３は、一端を本体部２１内に、他端をスライド部６１に固定されて、スライド部６１がスライド範囲の上側に位置しているときに略自然長となるよう配されていて、スライド部６１がスライド範囲の下側に位置しているときにスライド部６１を引き上げる方向に付勢する。
【００１３】
一対の突部６４は、スライド部６１の紙幅方向に沿った両端に、ロール紙Ｒの紙幅と略同じ間隔をあけて設けられている。これらの突部６４は、印刷部４近傍でのロール紙Ｒの紙幅方向の移動を規制する紙幅ガイドを兼ねている。
蓋部２２には、筐体２を閉じた状態で突部６４に干渉して突部６４を押し下げる干渉部２２ａが設けられている。
【００１４】
収納部６５は、可動刃収納ポケット５３の紙搬送方向上流側に位置し、スライド部６１をスライド自在に収納するとともに、スライド部６１が下方にスライドしたとき、鉤部６２で把持された軸５５ａが引き下げられることによって引き込まれるカバー５５をも収納するものである。収納部６５に引き込まれたときのカバー５５の位置を退避位置と称する。退避位置でのカバー５５の先端は、紙搬送路にかからない高さに位置して、ロール紙Ｒをプラテン４２の紙搬送方向下流側で案内する。
【００１５】
ここで、カバー５５は、トーションばねによって軸５５ａ回りに付勢されており、収納部６５から出ると図３における反時計回り方向に回動して被覆位置に至り、可動刃収納ポケット５３を覆う。
ここで、図８、図９および図１０は、筐体２が開かれた状態のもので、且つ、可動刃５２が戻らなかった場合のものである。図９および図１０に示すように、カバー５５は、収納部６５から出た状態の可動刃５２の刃を覆うのに十分な長さおよび幅を持たせて形成されている。また、カバー５５は、図９で示すように縦断右側面視で略「へ」字型となるよう、先端に丸みを帯びさせて形成されている。これにより、可動刃５２を覆うカバー５５にユーザが触れた際にカバー５５がトーションばねの付勢に抗して回動しにくくするとともに、可動刃５２を覆ったときの外観を、安心感を与えるものにしている。そして、カバー５５は、回動中心である軸５５ａの真上からずれた位置で可動刃５２と接するように構成されているので、ユーザがカバー５５を上から押すようなことがあっても、その力によってカバー５５が収納部６５内へ戻ることがない。
【００１６】
このような構成において、筐体２が開かれた状態では、カバー５５は、図２、図３および図４に示すように、コイルばね６３の付勢に従ってスライドしたスライド部６１によって押し上げられて、トーションばねの付勢に従って被覆位置に位置し、可動刃収納ポケット５３を覆う。
ユーザは、ロール紙Ｒの交換などの各種メンテナンスを行う際には、筐体２を開いて行う。このとき、可動刃収納ポケット５３がカバー５５によって覆われている。筐体２を開いた状態で、図８、図９および図１０に示すように、可動刃５２が何らかの不具合によって可動刃収納ポケット５３に戻っていなかったとしても、可動刃５２は、カバー５５によって覆われる。
【００１７】
筐体２が閉じられると、図５、図６および図７に示すように、干渉部２２ａが突部６４を押し下げることによって、スライド部６１がコイルばね６３の付勢に抗して下方へスライドし、これにより、鉤部６２で把持された軸５５ａが引き下げられ、さらにこれにより、カバー５５がトーションばねの付勢に抗して時計回り方向に回動しながら収納部６５に収納される。
印刷を行う際には、筐体２を閉じて行う。このとき、カバー５５は、紙搬送路に沿ったロール紙Ｒの搬送を妨げず、ロール紙Ｒを案内する。
【００１８】
このように、本実施形態によれば、筐体２を開いた際に、何らかの不具合によって可動刃５２が可動刃収納ポケット５３に収納されていなくても、カバー５５で覆われているので、ユーザの安全を守ることができる。
なお、カバー５５の形状は、本実施形態で図示した形状および大きさに限るものではなく、可動刃５２を覆うことができるものであれば、別の形でもよい。
また、本実施形態では、本体部２１が下部ユニットとされて可動刃５２が下部ユニットに設けられているが、実施にあたっては、本体部２１が上部ユニットとされて、蓋部２２が下部ユニットとされ、可動刃５２が上部ユニットに設けられていてもよい。
【００１９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２０】
１：プリンタ、２：筐体、３：ロール紙保持部（用紙収納部）、４：印刷部、
５：紙切断部（カッタ装置）、
２１：本体部（下部ユニット）、２２：蓋部（上部ユニット）、
５１：固定刃、５２：可動刃、５３：可動刃収納ポケット（ポケット）、
５４：空間、５５：カバー、５５ａ：軸、５６：連動部、
６４：突部、  Ｒ：ロール紙
【先行技術文献】
【特許文献】
【００２１】
【特許文献１】特開２０１１−１９４５６８号公報
【図１】
2014076515.tif 000003
【図２】
2014076515.tif 000004
【図３】
2014076515.tif 000005
【図４】
2014076515.tif 000006
【図５】
2014076515.tif 000007
【図６】
2014076515.tif 000008
【図７】
2014076515.tif 000009
【図８】
2014076515.tif 000010
【図９】
2014076515.tif 000011
【図１０】
2014076515.tif 000012